(57)【要約】【課題】電子装置でコンテンツが使用された履歴を表示する方法及びその装置を提供する。【解決手段】本発明による電子装置の制御方法は、コンテンツ表示イベントを感知する段階と、前記コンテンツ表示イベントを感知するとコンテンツを表示すると共に、前記コンテンツが使用された少なくとも一つのアプリケーションアイコンを前記コンテンツの任意の領域に表示する段階とを有する。【選択図】      図２Ａ
2014123344.tif 000002
【特許請求の範囲】
【請求項１】
コンテンツ表示イベントを感知する段階と、
前記コンテンツ表示イベントを感知するとコンテンツを表示すると共に、前記コンテンツが使用された少なくとも一つのアプリケーションアイコンを前記コンテンツの任意の領域に表示する段階とを有することを特徴とする電子装置の制御方法。
【請求項２】
前記コンテンツが使用された少なくとも一つのアプリケーションは、前記コンテンツをサーバーにアップロードするアプリケーション、前記コンテンツを他の電子装置に伝送するアプリケーション、及び前記コンテンツを参照したアプリケーションの内の少なくとも一つを含むことを特徴とする請求項１に記載の電子装置の制御方法。
【請求項３】
前記表示されたアプリケーションアイコンに対するタッチを感知する段階と、
前記タッチを感知すると、前記タッチが感知された前記アプリケーションアイコンに関連付けられたアプリケーションによって前記コンテンツが使用されたページを表示する段階とをさらに有することを特徴とする請求項１に記載の電子装置の制御方法。
【請求項４】
前記タッチが感知された前記アプリケーションアイコンに関連付けられたアプリケーションがコンテンツをサーバーにアップロードするアプリケーションである場合、前記タッチが感知された前記アプリケーションアイコンに関連付けられたアプリケーションによって前記コンテンツがアップロードされたページを表示する段階をさらに有することを特徴とする請求項３に記載の電子装置の制御方法。
【請求項５】
前記表示されたアプリケーションアイコンに対するタッチを感知する段階と、
前記タッチが感知された前記アプリケーションアイコンに関連付けられたアプリケーションによって前記コンテンツが使用された情報を表示する段階とをさらに有することを特徴とする請求項１に記載の電子装置の制御方法。
【請求項６】
前記タッチが感知された前記アプリケーションアイコンに関連付けられたアプリケーションがコンテンツを他の電子装置に伝送するアプリケーションである場合、前記タッチが感知された前記アプリケーションアイコンに関連付けられたアプリケーションによって前記コンテンツが伝送された他の電子装置のＩＤ（ｉｎｄｅｎｔｉｆｉｃａｔｉｏｎ）を表示する段階をさらに有することを特徴とする請求項５に記載の電子装置の制御方法。
【請求項７】
前記他の電子装置のＩＤは、前記他の電子装置のＩＰアドレス、機器番号、ユーザの名前、及び電話番号の内の少なくとも一つを含むことを特徴とする請求項６に記載の電子装置の制御方法。
【請求項８】
一つ以上のプロセッサと、
タッチ感知ディスプレイと、
メモリと、
前記メモリに格納され、前記一つ以上のプロセッサによって実行されるように構成される少なくとも一つ以上のプログラムとを有し、
前記プログラムは、コンテンツ表示イベントを感知し、前記コンテンツ表示イベントを感知するとコンテンツを表示すると共に、前記コンテンツが使用された少なくとも一つのアプリケーションに関連付けられたアプリケーションアイコンを前記コンテンツの任意の領域に表示する命令語を含むことを特徴とする電子装置。
【請求項９】
前記コンテンツが使用された少なくとも一つのアプリケーションは、前記コンテンツをサーバーにアップロードするアプリケーション、前記コンテンツを他の電子装置に伝送するアプリケーション、及び前記コンテンツを参照したアプリケーションの内の少なくとも一つを含むことを特徴とする請求項８に記載の電子装置。
【請求項１０】
前記プログラムは、前記表示されたアプリケーションアイコンに対するタッチを感知し、前記タッチを感知すると前記タッチが感知された前記アプリケーションアイコンに関連付けられたアプリケーションによって前記コンテンツが使用されたページを表示する命令語を含むことを特徴とする請求項８に記載の電子装置。
【請求項１１】
前記プログラムは、前記タッチが感知された前記アプリケーションアイコンに関連付けられたアプリケーションがコンテンツをサーバーにアップロードするアプリケーションである場合、前記タッチが感知された前記アプリケーションアイコンに関連付けられたアプリケーションによって前記コンテンツがアップロードされたページを表示する命令語を含むことを特徴とする請求項１０に記載の電子装置。
【請求項１２】
前記プログラムは、前記表示されたアプリケーションアイコンに対するタッチを感知し、前記タッチが感知された前記アプリケーションアイコンに関連付けられたアプリケーションによって前記コンテンツが使用された情報を表示する命令語を含むことを特徴とする請求項８に記載の電子装置。
【請求項１３】
前記プログラムは、前記タッチが感知された前記アプリケーションアイコンに関連付けられたアプリケーションがコンテンツを他の電子装置に伝送するアプリケーションである場合、前記タッチが感知された前記アプリケーションアイコンに関連付けられたアプリケーションによって前記コンテンツが伝送された他の電子装置のＩＤ（ｉｎｄｅｎｔｉｆｉｃａｔｉｏｎ）を表示する命令語を含むことを特徴とする請求項１２に記載の電子装置。
【請求項１４】
前記他の電子装置のＩＤは、前記他の電子装置のＩＰアドレス、機器番号、ユーザの名前、及び電話番号の内の少なくとも一つを含むことを特徴とする請求項１３に記載の電子装置。
【請求項１５】
請求項１乃至７のいずれか１項に記載の電子装置の制御方法を実行させるためのプログラムが記録されたことを特徴とするコンピュータ読出可能記録媒体。
【発明の詳細な説明】
【技術分野】
【０００１】
本発明は電子装置に関し、特に、電子装置でコンテンツに対する使用履歴を表示するための方法及びその装置に関する。
【背景技術】
【０００２】
近年、電子装置は技術の発展に伴って多様な機能を提供している。
例えば、電子装置は、アラーム、ＳＭＳ（Ｓｈｏｒｔ  Ｍｅｓｓａｇｉｎｇ  Ｓｅｒｖｉｃｅ）、ＭＭＳ（Ｍｕｌｔｉｍｅｄｉａ  Ｍｅｓｓａｇｅ  Ｓｅｒｖｉｃｅ）、電子メール、ゲーム、通信、イメージ管理機能、オーディオ及びビデオコンテンツを提供するマルチメディア機能、及びスケジュール機能などのような機能を提供している。
【０００３】
電子装置の機能が多様になるにつれ、電子装置に格納されるコンテンツの種類及び個数も急激に増加している。
電子装置のコンテンツが多様になり、その個数が増加するにつれてユーザがコンテンツを伝送する状況がよく発生する。例えば、ユーザは電子装置に格納されたイメージコンテンツを他のユーザと共有するためにイメージコンテンツを特定サーバーにアップロードする可能性がある。
他の例として、ユーザは電子装置に格納された音楽コンテンツを他のユーザと共有するために音楽コンテンツを他のユーザの電子装置に伝送する可能性がある。
【０００４】
しかし、伝送したコンテンツが多数個である場合、ユーザはそれぞれのコンテンツが伝送された履歴を確認するためにコンテンツの伝送が可能なアプリケーションを一々確認しなければならない不便があるという問題があった。
従って、電子装置でユーザがコンテンツの伝送履歴を容易に認知することができる方法が提供される必要がある。
【先行技術文献】
【特許文献】
【０００５】
【特許文献１】韓国特許公開第１０−２００７−０１０１４８６号公報
【発明の概要】
【発明が解決しようとする課題】
【０００６】
本発明は上記従来の電子装置における問題点に鑑みてなされたものであって、本発明の目的は、電子装置でコンテンツが使用された履歴を表示する方法及びその装置を提供することにある。
また、本発明の他の目的は、電子装置でコンテンツを表示すると共にコンテンツが使用されたアプリケーションを示す履歴を表示する、タッチが感知されたアプリケーションを実行する、タッチが感知されたアプリケーションでコンテンツが使用されたページを表示する、タッチが感知されたアプリケーションでコンテンツが使用された情報を表示する、等の方法及びその装置を提供することにある。
【課題を解決するための手段】
【０００７】
上記目的を達成するためになされた本発明による電子装置の制御方法は、コンテンツ表示イベントを感知する段階と、前記コンテンツ表示イベントを感知するとコンテンツを表示すると共に、前記コンテンツが使用された少なくとも一つのアプリケーションアイコンを前記コンテンツの任意の領域に表示する段階とを有することを特徴とする。
【０００８】
前記コンテンツが使用された少なくとも一つのアプリケーションは、前記コンテンツをサーバーにアップロードするアプリケーション、前記コンテンツを他の電子装置に伝送するアプリケーション、及び前記コンテンツを参照したアプリケーションの内の少なくとも一つを含むことが好ましい。
前記表示されたアプリケーションアイコンに対するタッチを感知する段階と、前記タッチを感知すると、前記タッチが感知された前記アプリケーションアイコンに関連付けられたアプリケーションによって前記コンテンツが使用されたページを表示する段階とをさらに有することが好ましい。
前記タッチが感知された前記アプリケーションアイコンに関連付けられたアプリケーションがコンテンツをサーバーにアップロードするアプリケーションである場合、前記タッチが感知された前記アプリケーションアイコンに関連付けられたアプリケーションによって前記コンテンツがアップロードされたページを表示する段階をさらに有することが好ましい。
前記表示されたアプリケーションアイコンに対するタッチを感知する段階と、前記タッチが感知された前記アプリケーションアイコンに関連付けられたアプリケーションによって前記コンテンツが使用された情報を表示する段階とをさらに有することが好ましい。
前記タッチが感知された前記アプリケーションアイコンに関連付けられたアプリケーションがコンテンツを他の電子装置に伝送するアプリケーションである場合、前記タッチが感知された前記アプリケーションアイコンに関連付けられたアプリケーションによって前記コンテンツが伝送された他の電子装置のＩＤ（ｉｎｄｅｎｔｉｆｉｃａｔｉｏｎ）を表示する段階をさらに有することが好ましい。
前記他の電子装置のＩＤは、前記他の電子装置のＩＰアドレス、機器番号、ユーザの名前、及び電話番号の内の少なくとも一つを含むことが好ましい。
【０００９】
上記目的を達成するためになされた本発明による電子装置は、一つ以上のプロセッサと、タッチ感知ディスプレイと、メモリと、前記メモリに格納され、前記一つ以上のプロセッサによって実行されるように構成される少なくとも一つ以上のプログラムとを有し、前記プログラムは、コンテンツ表示イベントを感知し、前記コンテンツ表示イベントを感知すると前記コンテンツを表示すると共に、前記コンテンツが使用された少なくとも一つのアプリケーションに関連付けられたアプリケーションアイコンを前記コンテンツの任意の領域に表示する命令語を含むことを特徴とする。
【００１０】
前記コンテンツが使用された少なくとも一つのアプリケーションは、前記コンテンツをサーバーにアップロードするアプリケーション、前記コンテンツを他の電子装置に伝送するアプリケーション、及び前記コンテンツを参照したアプリケーションの内の少なくとも一つを含むことが好ましい。
前記プログラムは、前記表示されたアプリケーションアイコンに対するタッチを感知し、前記タッチを感知すると前記タッチが感知された前記アプリケーションアイコンに関連付けられたアプリケーションによって前記コンテンツが使用されたページを表示する命令語を含むことが好ましい。
前記プログラムは、前記タッチが感知された前記アプリケーションアイコンに関連付けられたアプリケーションがコンテンツをサーバーにアップロードするアプリケーションである場合、前記タッチが感知された前記アプリケーションアイコンに関連付けられたアプリケーションによって前記コンテンツがアップロードされたページを表示する命令語を含むことが好ましい。
前記プログラムは、前記表示されたアプリケーションアイコンに対するタッチを感知し、前記タッチが感知された前記アプリケーションアイコンに関連付けられたアプリケーションによって前記コンテンツが使用された情報を表示する命令語を含むことが好ましい。
前記プログラムは、前記タッチが感知された前記アプリケーションアイコンに関連付けられたアプリケーションがコンテンツを他の電子装置に伝送するアプリケーションである場合、前記タッチが感知された前記アプリケーションアイコンに関連付けられたアプリケーションによって前記コンテンツが伝送された他の電子装置のＩＤ（ｉｎｄｅｎｔｉｆｉｃａｔｉｏｎ）を表示する命令語を含むことが好ましい。
前記他の電子装置のＩＤは、前記他の電子装置のＩＰアドレス、機器番号、ユーザの名前、及び電話番号の内の少なくとも一つを含むことが好ましい。
【発明の効果】
【００１１】
本発明に係る電子装置の制御方法及びその電子装置によれば、電子装置でユーザがコンテンツの伝送履歴を容易に認知することができることにより、ユーザーが伝送したコンテンツの伝送履歴を確認するためにコンテンツの伝送が可能なアプリケーションを一々確認しなければならない不便が解消されるという効果がある。
【図面の簡単な説明】
【００１２】
【図１Ａ】本発明の実施形態によるコンテンツを表示すると共にコンテンツの使用履歴を表示する電子装置の構成を示すブロック図である。
【図１Ｂ】本発明の実施形態によるコンテンツを表示すると共にコンテンツの使用履歴を表示するプロセッサの構成を示すブロック図である。
【図２Ａ】本発明の実施形態による電子装置におけるコンテンツ及びコンテンツ使用履歴を表示する手順を説明するためのフローチャートである。
【図２Ｂ】本発明の実施形態による電子装置におけるコンテンツ及びコンテンツ使用履歴を表示する手段を示す図である。
【図３】本発明の一実施形態による電子装置におけるコンテンツ及びコンテンツが使用されたアプリケーションアイコンを表示する手順を説明するためのフローチャートである。
【図４】本発明の実施形態による電子装置におけるイメージコンテンツ及びイメージコンテンツが使用されたアプリケーションアイコンを同時に表示する例を示す図である。
【図５】本発明の実施形態による電子装置におけるイメージコンテンツの使用に関する詳細な情報を示すアプリケーション画面を表示する例を示す図である。
【図６】本発明の他の実施形態による電子装置におけるコンテンツの使用に関する詳細な情報を示すアプリケーション画面を表示する例を示す図である。
【図７】本発明のまた他の実施形態による電子装置におけるコンテンツの使用に関する詳細な情報を示すアプリケーション画面を表示する例を示す図である。
【発明を実施するための形態】
【００１３】
次に、本発明に係る電子装置の制御方法及びその電子装置を実施するための形態の具体例を図面を参照しながら説明する。
【００１４】
本発明を説明するに当たって、関連する公知機能或いは構成に対する具体的な説明が本発明の要旨を不明確にする恐れがあると判断される場合、その詳細な説明を省略する。
そして、後述する用語は本発明における機能を考慮して定義されたものであって、これはユーザ、運用者の意図又は慣例などによって異なり得る。従って、その定義は本明細書全般にかかる内容に基づいて下されるべきである。
【００１５】
以下の説明において、電子装置はコンテンツの表示が可能な移動通信端末機、スマートフォーン（Ｓｍａｒｔ  Ｐｈｏｎｅ）、タブレットＰＣ（Ｔａｂｌｅｔ  Ｐｅｒｓｏｎａｌ  Ｃｏｍｐｕｔｅｒ）、デジタルカメラ、ＭＰ３、ナビゲーション、ラップトップ（Ｌａｐｔｏｐ）、ネットブック（Ｎｅｔｂｏｏｋ）、コンピュータ（Ｃｏｍｐｕｔｅｒ）、テレビ（Ｔｅｌｅｖｉｓｉｏｎ）、冷蔵庫及びエアコンなどを含む。
【００１６】
図１Ａは、本発明の実施形態によるコンテンツを表示すると共にコンテンツの使用履歴を表示する電子装置の構成を示すブロック図である。
図１Ａを参照すると、電子装置１００は、メモリ１１０、プロセッサ１２０及びタッチスクリーン（Ｔｏｕｃｈ  Ｓｃｒｅｅｎ）１３０を含む。
【００１７】
メモリ１１０及びプロセッサ１２０それぞれは、複数個のメモリ１１０及び複数個のプロセッサ１２０で構成される。
メモリ１１０は、データ格納部１１１、オペレーションシステム（ＯＳ）プログラム１１２、アプリケーションプログラム１１３、グラフィックユーザインタフェースプログラム１１４、及びコンテンツ管理プログラム１１５などを含む。
また、ソフトウェア構成要素であるプログラムは、命令語の集合として表現することができるため、プログラムは命令語セット（ｉｎｓｔｒｕｃｔｉｏｎ  ｓｅｔ）と表現されることもある。プログラムはまた、モジュールと表現されることもある。
【００１８】
メモリ１１０は、本発明の実施形態を行う命令語を含む一つ以上のプログラムを格納する。
データ格納部１１１は、メモリ１１０に格納されたプログラムに対応する機能を行う途中で発生するデータを格納する。
本発明によるデータ格納部１１１は、それぞれのコンテンツに対する使用履歴情報を格納する。
ここで、コンテンツに対する使用履歴情報はコンテンツが使用されたアプリケーションの情報を意味する。例えば、データ格納部１１１は第１コンテンツがメッセージアプリケーション及びＳＮＳ（Ｓｏｃｉａｌ  Ｎｅｔｗｏｒｋ  Ｓｅｒｖｉｃｅ）アプリケーションで使用されたことを示す情報を格納する。
【００１９】
他の例として、データ格納部１１１は、第２コンテンツがブルートゥース（登録商標）アプリケーションで使用されたことを示す情報を格納する。
この際、コンテンツは動画コンテンツ、テキストコンテンツ、イメージコンテンツ、サウンドコンテンツ、及びその他のアプリケーションプログラムコンテンツを含む。
【００２０】
加えて、データ格納部１１１はコンテンツが使用されたアプリケーションで該当コンテンツが使用された情報を格納する。
例えば、第１コンテンツがメッセージアプリケーションを介して他のユーザに伝送された場合、データ格納部１１１は第１コンテンツがメッセージアプリケーションで使用されたことを示す情報と共に、第１コンテンツがメッセージアプリケーションを介してどのユーザに伝送されたのかに対する情報を格納する。
【００２１】
他の例として、第２コンテンツがＳＮＳアプリケーションを介してサーバーにアップロードされた場合、データ格納部１１１は第２コンテンツがＳＮＳアプリケーションで使用されたことを示す情報と共に、第２コンテンツがＳＮＳアプリケーションを介してどのページにアップロードされたのかに対する情報を格納する。
【００２２】
オペレーションシステム（ＯＳ）プログラム１１２（例えば、ＷＩＮＤＯＷＳ（登録商標）、ＬＩＮＵＸ（登録商標）、ダーウィン（Ｄａｒｗｉｎ）、ＲＴＸＣ，ＵＮＩＸ（登録商標）、ＯＳ  Ｘ又はＶｘＷｒｏｋｓなどのような内蔵型オペレーションシステム）は、一般的なシステムオペレーション（ｓｙｓｔｅｍ  ｏｐｅｒａｔｉｏｎ）を制御する様々なソフトウェア構成要素を含む。
例えば、一般的なシステムオペレーションの制御とは、メモリの管理及び制御、格納ハードウェア（装置）の制御及び管理、電力制御及び管理などを意味する。オペレーションシステム（ＯＳ）プログラム１１２は、様々なハードウェア（装置）とソフトウェア構成要素（プログラム）との間の通信を円滑にする機能を行う。
【００２３】
アプリケーションプログラム１１３は、ブラウザ（ｂｒｏｗｓｅｒ）、電子メール（ｅｍａｉｌ）、メッセージ（ｍｅｓｓａｇｅ）、ワードプロセッシング（ｗｏｒｄ  ｐｒｏｃｅｓｓｉｎｇ）、アドレスブック（ａｄｄｒｅｓｓ  ｂｏｏｋ）、ウィジェット（ｗｉｄｇｅｔ）、デジタル著作権管理（ＤＲＭ，Ｄｉｇｉｔａｌ  Ｒｉｇｈｔ  Ｍａｎａｇｅｍｅｎｔ）、音声認識（ｖｏｉｃｅ  ｒｅｃｏｇｎｉｔｉｏｎ）、音声複製、位置決定機能（ｐｏｓｉｔｉｏｎ  ｄｅｔｅｒｍｉｎｉｎｇ  ｆｕｎｃｔｉｏｎ）、位置基盤サービス（ｌｏｃａｔｉｏｎ  ｂａｓｅｄ  ｓｅｒｖｉｃｅ）、電話などのアプリケーションを含む。
【００２４】
グラフィックユーザインターフェースプログラム１１４は、ユーザと電子装置１１０との間のグラフィックを利用したユーザインターフェースを提供する少なくとも一つのソフトウェア構成要素を含む。
即ち、グラフィックユーザインターフェースプログラム１１４は、タッチスクリーン１３０にユーザインターフェース情報を表示するための少なくとも一つのソフトウェア構成要素を含む。本発明によって、グラフィックユーザインターフェースプログラム１１４はコンテンツを表示すると共にコンテンツが使用された少なくとも一つのアプリケーションに対する情報（例えば、アプリケーションのアイコン）を表示するための命令語を含む。
【００２５】
コンテンツ管理プログラム１１５は、各コンテンツに対する使用履歴情報を格納するための命令語を含む。
即ち、コンテンツ管理プログラム１１５は、電子装置に格納された各コンテンツが特定アプリケーションで使用されるのか否かを感知し、特定アプリケーションで使用が感知される際、コンテンツが特定アプリケーションで使用されることを示す情報を格納するための命令語を含む。
例えば、コンテンツ管理プログラム１１５は、第１コンテンツがＳＮＳアプリケーションを介して他の電子装置に伝送されることを感知し、第１コンテンツがＳＮＳアプリケーションを介して他の電子装置に伝送されたことを示す情報を第１コンテンツの使用履歴情報として格納する。
【００２６】
また、コンテンツ管理プログラム１１５は、コンテンツを表示する際、該当コンテンツの使用履歴情報を表示するための命令語を含む。
即ち、コンテンツ管理プログラム１１５は、コンテンツを表示すると共に該当コンテンツが使用されたアプリケーションのアイコンを表示するための命令語を含む。
詳しくは、コンテンツ管理プログラム１１５は、コンテンツ表示イベントを感知し、コンテンツ表示イベントを感知すると、該当コンテンツに対する使用履歴情報に基づいて該当コンテンツが使用されたアプリケーションが存在するのか否かを確認する。
【００２７】
詳しくは、ギャラリーアプリケーションが実行される場合、コンテンツ管理プログラム１１５はギャラリーアプリケーションで表示されるイメージコンテンツに対する使用履歴情報を検索して表示されるイメージコンテンツが使用されたアプリケーションが存在するのか否かを確認する。
もし、該当イメージコンテンツが使用されたアプリケーションが存在する場合、コンテンツ管理プログラム１１５はイメージコンテンツを表示すると共に該当イメージコンテンツが使用された少なくとも一つのアプリケーションのアイコンを表示する。
【００２８】
例えば、第１イメージコンテンツがメッセージアプリケーションを介して添付されて他の電子装置に伝送された場合、コンテンツ管理プログラム１１５は第１イメージコンテンツを表示すると共にメッセージアプリケーションのアイコンを表示する。
他の例として、第２イメージコンテンツがＳＮＳアプリケーションを介してサーバーにアップロードされた場合、コンテンツ管理プログラム１１５は第２イメージコンテンツを表示すると共にＳＮＳアプリケーションのアイコンを表示する。
また他の例として、第３イメージコンテンツがメッセージアプリケーションを介して添付されて他の電子装置に伝送され、ＳＮＳアプリケーションを介してサーバーにアップロードされた場合、コンテンツ管理プログラム１１５は第３イメージコンテンツを表示すると共にメッセージアプリケーション及びＳＮＳアプリケーションのアイコンを表示する。
【００２９】
加えて、コンテンツ管理プログラム１１５は、コンテンツと共に表示されたアプリケーションアイコンに対するタッチが感知された際、タッチが感知されたアプリケーションアイコンに関連付けられたアプリケーションで該当コンテンツが使用された情報を表示するための命令語を含む。
例えば、第１コンテンツの使用履歴として表示されたメッセージアプリケーションアイコンに対するタッチが感知された場合、コンテンツ管理プログラム１１５はメッセージアプリケーションを介して第１コンテンツが伝送された少なくとも一つの他の電子装置のＩＤ情報を表示する。
この際、他の電子装置のＩＤ情報は他の電子装置のＩＰアドレス、機器番号、ユーザの名前、及び電話番号の内の少なくとも一つを含む。
【００３０】
他の例として、第２コンテンツの使用履歴としてＳＮＳアプリケーションアイコンに対するタッチが感知された場合、コンテンツ管理プログラム１１５はＳＮＳアプリケーション実行した後、ＳＮＳアプリケーションで第２コンテンツがアップロードされたページを表示する。
また他の例として、第３コンテンツの使用履歴としてブルートゥース（登録商標）アプリケーションアイコンに対するタッチが感知された場合、コンテンツ管理プログラム１１５はブルートゥース（登録商標）アプリケーションを介して第３コンテンツが伝送された少なくとも一つの他の電子装置のＩＤ情報を表示する。この際、コンテンツが伝送された他の電子装置のＩＤ情報及びイメージがアップロードされたページ情報は、ページの転換によって表示されるか又はポップアップ形態の新しいウィンドウで表示されてもよい。
【００３１】
プロセッサ１２０は、図に示していないが、少なくとも一つのプロセッサ及び周辺インターフェースで構成されてもよい。また、プロセッサ１２０はメモリ１１０に格納された特定のプログラム（命令語セット）を実行し、そのプログラムに対応する特定の複数の機能を行う。
【００３２】
タッチスクリーン１３０とは、タッチ感知ディスプレイ（ｔｏｕｃｈ−ｓｅｎｓｉｔｉｖｅ  ｄｉｓｐｌａｙ）であって、電子装置１００とユーザとの間にタッチ入出力のためのインターフェースを提供する。
タッチスクリーン１３０は、タッチセンサ（図示せず）を介してタッチ（又は接触）を感知し、感知されたタッチ入力を電子装置１００に伝達して電子装置１００からの出力をユーザに視覚的に提供する媒介手段である。
即ち、タッチスクリーン１３０はタッチ入力に反応してユーザにテキスト、グラフィック、及びビデオに基づく視覚的な出力を提供する。
【００３３】
タッチスクリーン１３０は、ユーザのタッチ入力を感知するタッチ感知面を含み、ハプティック（ｈａｐｔｉｃ）接触、タクタイル（ｔａｃｔｉｌｅ）接触、又はそれらの組み合わせによるユーザのタッチ入力を感知する。
例えば、タッチスクリーン１３０のタッチ感知地点は、タッチ感知面に対する接触に使用された指の幅（ｄｉｇｉｔ）に対応する。
また、タッチスクリーン１３０はタッチ感知面を介してスタイラス（ｓｔｙｌｕｓ）ペン（ｐｅｎ）などのような外部装置による接触を感知する。
検出された接触は、タッチスクリーン上に表示されるユーザーインタフェース対象（例えば、ソフトキー）に対応する相互作用（ｉｎｔｅｒａｃｔｉｏｎ）に変換される。
【００３４】
タッチスクリーン１３０は、電子装置１００とユーザとの間にタッチ入出力のためのインターフェースを提供する。
詳しくは、タッチスクリーン１３０はユーザのタッチ入力を電子装置１００に伝達し、電子装置１００からの出力をユーザに視覚的に提供する媒介手段である。タッチスクリーン１３０は、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＬＰＤ（Ｌｉｇｈｔ  ｅｍｉｔｔｉｎｇ  Ｐｏｌｙｍｅｒ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）又はＦＬＥＤ（Ｆｌｅｘｉｂｌｅ  ＬＥＤ）などのような多様な表示技術を使用してもよく、本発明のタッチスクリーン１３０はこのような表示技術を利用するタッチスクリーンに限られない。
【００３５】
また、タッチスクリーン１３０は、容量型（ｃａｐａｃｉｔｉｖｅ）検出、抵抗型（ｒｅｓｉｓｔｉｖｅ）検出、赤外線型（ｉｎｆｒａｒｅｄ）検出、又は表面音波検出技術のような様々なタッチ検出（又は感知（ｓｅｎｓｉｎｇ））技術を利用してタッチ感知面に対する接触の開始、接触の移動又は接触の中断や終了を感知する。
本発明によるタッチスクリーン１３０は、コンテンツ表示イベントを感知するとコンテンツを表示すると共にコンテンツが使用されたアプリケーションのアイコンを表示する。
また、タッチスクリーン１３０は、コンテンツと同時に表示されたアイコンに対するタッチを感知する。
【００３６】
図１Ｂは、本発明の実施形態によるコンテンツを表示すると共にコンテンツの使用履歴を表示するプロセッサの構成を示すブロック図である。
図１Ｂを参照すると、プロセッサ１２０はコンテンツ管理プロセッサ１２２を含む。
【００３７】
コンテンツ管理プロセッサ１２２は、各コンテンツに対する使用履歴情報を格納するための命令語を含む。
即ち、コンテンツ管理プロセッサ１２２は、電子装置に格納された各コンテンツが特定アプリケーションで使用されるのか否かを感知し、特定アプリケーションで使用が感知された際、コンテンツが特定アプリケーションで使用されたことを示す情報を格納するための命令語を含む。
【００３８】
例えば、コンテンツ管理プロセッサ１２２は、第１コンテンツがＳＮＳアプリケーションを介して他の電子装置に伝送されることを感知し、第１コンテンツがＳＮＳアプリケーションを介して他の電子装置に伝送されたことを示す情報を第１コンテンツの使用履歴情報として格納する。
また、コンテンツ管理プロセッサ１２２は、コンテンツを表示する際、該当コンテンツの使用履歴情報を表示するための命令語を含む。
即ち、コンテンツ管理プロセッサ１２２は、コンテンツを表示すると共に該当コンテンツが使用されたアプリケーションのアイコンを表示するための命令語を含む。
【００３９】
詳しくは、コンテンツ管理プロセッサ１２２は、コンテンツ表示イベントを感知し、コンテンツ表示イベントを感知すると該当コンテンツに対する使用履歴情報に基づいて該当コンテンツが使用されたアプリケーションが存在するのか否かを確認する。
例えば、ギャラリーアプリケーションが実行される場合、コンテンツ管理プロセッサ１２２はギャラリーアプリケーションで表示されるイメージコンテンツに対する使用履歴情報を検索して表示されるイメージコンテンツが使用されたアプリケーションが存在するのか否かを確認する。
【００４０】
もし、該当イメージコンテンツが使用されたアプリケーションが存在する場合、コンテンツ管理プロセッサ１２２はイメージコンテンツを表示すると共に該当イメージコンテンツが使用された少なくとも一つのアプリケーションアイコンを表示する。
例えば、第１イメージコンテンツがメッセージアプリケーションを介して添付されて他の電子装置に伝送された場合、コンテンツ管理プロセッサ１２２は第１イメージコンテンツを表示すると共にメッセージアプリケーションのアイコンを表示する。
【００４１】
他の例として、第２イメージコンテンツがＳＮＳアプリケーションを介してサーバーにアップロードされた場合、コンテンツ管理プロセッサ１２２は第２イメージコンテンツを表示すると共にＳＮＳアプリケーションのアイコンを表示する。
また他の例として、第３イメージコンテンツがメッセージアプリケーションを介して添付されて他の電子装置に伝送され、ＳＮＳアプリケーションを介してサーバーにアップロードされた場合、コンテンツ管理プロセッサ１２２は第３イメージコンテンツを表示すると共にメッセージアプリケーション及びＳＮＳアプリケーションのアイコンを表示する。
【００４２】
加えて、コンテンツ管理プロセッサ１２２は、コンテンツと共に表示されたアプリケーションアイコンに対するタッチが感知された際、タッチが感知されたアプリケーションアイコンに関連付けられたアプリケーションで該当コンテンツが使用された情報を表示するための命令語を含む。
例えば、第１コンテンツの使用履歴として表示されたメッセージアプリケーションアイコンに対するタッチが感知された場合、コンテンツ管理プロセッサ１２２は、メッセージアプリケーションを介して第１コンテンツが伝送された少なくとも一つの他の電子装置のＩＤ情報を表示する。
この際、他の電子装置のＩＤ情報は、他の電子装置のＩＰアドレス、機器番号、ユーザの名前、及び電話番号の内の少なくとも一つを含む。
【００４３】
他の例として、第２コンテンツの使用履歴としてＳＮＳアプリケーションアイコンに対するタッチが感知された場合、コンテンツ管理プロセッサ１２２はＳＮＳアプリケーション実行した後、ＳＮＳアプリケーションで第２コンテンツがアップロードされたページを表示する。
また他の例として、第３コンテンツの使用履歴としてブルートゥース（登録商標）アプリケーションアイコンに対するタッチが感知された場合、コンテンツ管理プロセッサ１２２はブルートゥース（登録商標）アプリケーションを介して第３コンテンツが伝送された少なくとも一つの他の電子装置のＩＤ情報を表示する。
この際、コンテンツが伝送された他の電子装置のＩＤ情報及びイメージがアップロードされたページ情報は、ページの転換によって表示されるか又はポップアップ形態の新しいウィンドウで表示されてもよい。
【００４４】
図２Ａは、本発明の実施形態による電子装置１００におけるコンテンツ及びコンテンツ使用履歴を表示する手順を説明するためのフローチャートである。
図２Ａを参照すると、電子装置１００はステップＳ２０１でコンテンツ表示イベントを感知する。
【００４５】
例えば、電子装置１００は、ギャラリーアプリケーションが実行されてイメージコンテンツが表示されることを感知する。
他の例として、電子装置１００は、音楽アプリケーションが実行されてサウンドコンテンツが表示されることを感知する。
また他の例として、電子装置１００は、動画アプリケーションが実行されて動画コンテンツが表示されることを感知する。
【００４６】
次に、電子装置１００はステップＳ２０３に進行し、コンテンツ表示イベントを感知すると、コンテンツを表示すると共にコンテンツが使用された少なくとも一つのアプリケーションアイコンを任意の領域に表示する。
詳しくは、電子装置１００は表示されるコンテンツが使用されたアプリケーションが存在するのかを確認した後、表示されるコンテンツが使用されたアプリケーションが存在する場合、コンテンツが使用された少なくとも一つのアプリケーションのアイコンをコンテンツと共に表示する。
【００４７】
例えば、表示されるコンテンツが第１イメージコンテンツである場合、電子装置１００は第１イメージコンテンツが使用されたアプリケーションが存在するのか否かを確認し、第１イメージコンテンツが使用されたメッセージアプリケーションのアイコンを第１イメージコンテンツの任意の領域に表示する。
他の例として、表示されるコンテンツが第１文書コンテンツである場合、電子装置１００は第１文書コンテンツが使用されたアプリケーションが存在するのか否かを確認し、第１文書コンテンツが使用されたブルートゥース（登録商標）アプリケーションのアイコンを第１文書コンテンツの任意の領域に表示する。
【００４８】
図２Ｂは、本発明の実施形態による電子装置１００におけるコンテンツ及びコンテンツ使用履歴を表示する手段を示す図である。
図２Ｂを参照すると、電子装置１００は、コンテンツ表示イベントを感知する手段２１１を含む。
【００４９】
例えば、電子装置１００はギャラリーアプリケーションが実行された後、ギャラリーアプリケーションに格納されたイメージコンテンツのうち第１イメージが選択されて表示されることを感知する手段を含む。
他の例として、電子装置１００は音楽アプリケーションが実行された後、音楽アプリケーションに格納されたサウンドコンテンツのうち第１サウンドコンテンツが選択されて表示されることを感知する手段を含む。
【００５０】
また、電子装置１００はイベントを感知するとコンテンツを表示すると共にコンテンツが使用された少なくとも一つのアプリケーションアイコンをコンテンツの任意の領域に表示する手段２１３を含む。
この際、電子装置１００はコンテンツが使用されたアプリケーションに対する情報を格納する手段及び該当アプリケーションで該当コンテンツが使用された情報を格納する手段を含む。
【００５１】
例えば、電子装置１００は、第１コンテンツがメッセージアプリケーションで使用されたことを格納する手段及び第１コンテンツがメッセージアプリケーションによってどの電子装置に伝送されたのかに対する情報を格納する手段を含む。
加えて、電子装置１００は、コンテンツが使用されたアプリケーションに対する情報及び該当アプリケーションで該当コンテンツが使用された情報をコンテンツ別に格納する手段を含む。
【００５２】
図３は、本発明の一実施形態による電子装置１００におけるコンテンツ及びコンテンツが使用されたアプリケーションアイコンを表示する手順を説明するためのフローチャートである。
図３を参照すると、電子装置１００は、ステップＳ３０１でコンテンツ表示イベントを感知する。
言い換えると、電子装置１００は、電子装置１００に格納されたコンテンツを表示するためのイベントを感知する。
この際、コンテンツは、動画コンテンツ、テキストコンテンツ、イメージコンテンツ、サウンドコンテンツ、及びその他のアプリケーションプログラムコンテンツを含む。
【００５３】
次に、電子装置１００は、ステップＳ３０３に進行し、表示されるコンテンツを使用したアプリケーションを確認した後、ステップＳ３０５に進行して該当コンテンツを使用したアプリケーションが存在するのか否かを確認する。
言い換えると、電子装置１００は、表示されるコンテンツが特定アプリケーションによって添付又は参照されたのか否かを確認する。
【００５４】
もし、該当コンテンツを使用したアプリケーションが存在する場合、電子装置１００はステップＳ３０７に進行し、コンテンツが使用されたアプリケーションアイコンをイメージと共に表示する。
例えば、音楽コンテンツがブルートゥース（登録商標）アプリケーションによって使用された場合、電子装置１００はブルートゥース（登録商標）アプリケーションのアイコンを該当音楽コンテンツの任意の領域に表示する。
【００５５】
他の例として、テキストコンテンツがＳＮＳアプリケーションによって使用された場合、電子装置１００はＳＮＳアプリケーションのアイコンを該当テキストコンテンツの任意の領域に表示する。
また他の例として、イメージコンテンツが複数のアプリケーションによって使用された場合、電子装置１００は図４に示すように複数のアプリケーションのアイコン４０１を該当イメージコンテンツの任意の領域に表示する。
図４は、本発明の実施形態による電子装置におけるイメージコンテンツ及びイメージコンテンツが使用されたアプリケーションアイコンを同時に表示する例を示す図である。
【００５６】
次に、電子装置１００はステップＳ３０９に進行し、表示されたアイコンに対するタッチが感知されたか否かを確認する。
この際、電子装置１００は表示されたアイコンがタッチされたかを感知することで表示されたアイコンが選択されたか否かを確認する。
もし、表示されたアイコンに対するタッチが感知される場合、電子装置１００はステップＳ３１１に進行してタッチが感知されたアプリケーションアイコンに関連付けられたアプリケーションでコンテンツが使用された情報を表示する。
【００５７】
例えば、図５に示すように、表示されたメッセージアプリケーション５０１に対するタッチが感知された場合、電子装置１００はメッセージアプリケーションによってイメージコンテンツが伝送された他の電子装置のユーザの名前及び電話番号５０３を表示する。
図５は、本発明の実施形態による電子装置におけるイメージコンテンツの使用に関する詳細な情報を示すアプリケーション画面を表示する例を示す図である。
この際、電子装置１００はユーザーの名前及び電話番号をポップアップ形態の新しいウィンドウで表示するか、又は表示されたページを転換して表示する。
【００５８】
他の例として、図６に示すように、表示されたメッセージ共有アプリケーション６０１に対するタッチが感知された場合、電子装置１００はメッセージ共有アプリケーションを実行した後、イメージ共有アプリケーションによってイメージコンテンツが共有されたページ６０３を表示する。
図６は、本発明の他の実施形態による電子装置におけるコンテンツの使用に関する詳細な情報を示すアプリケーション画面を表示する例を示す図である。
【００５９】
また他の例として、図７に示すように、ブルートゥース（登録商標）アプリケーション７０１に対するタッチが感知された場合、電子装置１００はブルートゥース（登録商標）アプリケーションによって音楽コンテンツが伝送された他の電子装置のユーザの名前及び電話番号７０３を表示する。
図７は、本発明のまた他の実施形態による電子装置におけるコンテンツの使用に関する詳細な情報を示すアプリケーション画面を表示する例を示す図である。
次に、電子装置１００は本発明の実施形態による手順を終了する。
【００６０】
ステップＳ３０５でコンテンツを使用したアプリケーションが存在しない場合、電子装置１００は、ステップＳ３１５に進行して該当コンテンツを表示した後、実施形態による手順を終了する。
【００６１】
本明細書で説明した発明の実施形態及び全ての機能動作は、本明細書で開示した構造及びそれらの近似構造を含むコンピュータソフトウェア、ファームウェア（ｆｉｒｍｗａｒｅ）又はハードウェアで、又はそれらの一つ以上の組み合わせで実施されてもよい。
また、本明細書で説明した発明の実施形態は、一つ以上のコンピュータプログラム製品、即ち、データプロセッシング装置によって実行されるか、その装置の動作を制御するためのコンピュータで読出可能記録媒体上にインコードされたコンピュータプログラム命令語の一つ以上のモジュールで実施されてもよい。
【００６２】
コンピュータで読出可能記録媒体は、マシン読出可能記録媒体、マシン読出可能な記録基板、メモリ装置、マシン読出可能電波ストリームに影響を及ぼす物質の構成又はそれらの一つ以上の組み合わせであってもよい。
データプロセッシング装置という用語とは、例えば、プログラム可能なプロセッサ、コンピュータ、多重プロセッサ又はコンピュータを含むデータをプロセッシングするための全ての機器、装置及びマシンをいう。機器はハードウェアに付加して該当コンピュータプログラムに対する実行環境を生成するコード、例えば、プロセッサファームウェア、プロトコルスタック、データベース管理システム、運営システム又は一つ以上のそれらの組み合わせを構成するコードを含み得る。
【００６３】
尚、本発明は、上述の実施形態に限られるものではない。本発明の技術的範囲から逸脱しない範囲内で多様に変更実施することが可能である。
【符号の説明】
【００６４】
１００    電子装置
１１０    メモリ
１１１    データ格納部
１１２    オペレーションシステム（ＯＳ）プログラム
１１３    アプリケーションプログラム
１１４    グラフィックユーザインタフェースプログラム
１１５    コンテンツ管理プログラム
１２０    プロセッサ
１２２    コンテンツ管理プロセッサ
１３０    タッチスクリーン
【図１Ａ】
2014123344.tif 000003
【図１Ｂ】
2014123344.tif 000004
【図２Ａ】
2014123344.tif 000005
【図２Ｂ】
2014123344.tif 000006
【図３】
2014123344.tif 000007
【図４】
2014123344.tif 000008
【図５】
2014123344.tif 000009
【図６】
2014123344.tif 000010
【図７】
2014123344.tif 000011